(57)【要約】【課題】表示媒体のコストを低減し、表示媒体の表示内容を簡易に書き換えることができる表示媒体システムおよび表示媒体を提供する。【解決手段】この表示媒体システム１００は、画像を表示画面１０ａに表示する表示媒体１と、表示媒体１に着脱かつ移動可能に設けられた制御装置２と、制御装置２に画像を送信するサーバ３とから構成されている。表示媒体１に設けられた制御ＩＣは、表示媒体１に対する制御装置２の位置を検出し、その位置検出情報を制御装置２に送信すると、制御装置２は、位置検出情報と画像メモリに記憶されている画像の数から頁を算出し、算出した頁に対応する画像を画像メモリから読み出して表示媒体１に送信する。表示媒体１の制御ＩＣは、送信された画像を表示画面１０ａに表示する。【選択図】図１
2008292838.tif 000002
【特許請求の範囲】
【請求項１】
画像を表示画面に表示する表示媒体と、
前記表示媒体に移動可能に設けられた操作部と、
前記表示媒体に対する前記操作部の位置を検出する検出部と、
前記検出部により検出された前記位置に応じて前記表示画面の表示内容を切り換える制御部とを備えた表示媒体システム。
【請求項２】
前記表示媒体は、前記操作部が着脱かつ移動可能に接続される接続部を備えた請求項１に記載の表示媒体システム。
【請求項３】
前記操作部は、バッテリを備え、
前記接続部は、前記表示媒体と前記バッテリとを電気的に接続する受電線を備えた請求項２に記載の表示媒体システム。
【請求項４】
前記制御部は、前記操作部に設けられた請求項１に記載の表示媒体システム。
【請求項５】
前記操作部は、画像を記憶する記憶部、又は画像を記憶する記憶媒体が装着される装着部を備え、
前記制御部は、前記検出部により検出された前記位置に応じて対応する画像を前記記憶部又は前記記憶媒体から読み出して前記表示画面に表示する請求項１に記載の表示媒体システム。
【請求項６】
前記制御部は、前記検出部により検出された前記位置と前記記憶部又は前記記憶媒体に記憶されている前記画像の数に基づいて、頁を算出し、算出した前記頁に対応する画像を前記記憶部又は前記記憶媒体から読み出して前記表示画面に表示する請求項４に記載の表示媒体システム。
【請求項７】
前記操作部は、前記制御部によって算出された前記頁を表示する頁表示部を備えた請求項６に記載の表示媒体システム。
【請求項８】
前記表示媒体は、前記制御部によって算出された前記頁を表示する頁表示部を備えた請求項６に記載の表示媒体システム。
【請求項９】
前記操作部は、無線により外部装置から前記画像を取り込んで前記記憶部又は前記記憶媒体に記憶する請求項４に記載の表示媒体システム。
【請求項１０】
前記検出部は、前記位置の他に、前記操作部の移動速度を検出し、
前記制御部は、前記移動速度に応じて前記表示画面に表示する前記画像の解像度を変更する請求項４に記載の表示媒体システム。
【請求項１１】
前記表示媒体は、前記操作部が着脱かつ移動可能に接続される複数の前記接続部を備え、
前記検出部は、前記複数の接続部のうち前記操作部に接続された前記接続部を検出し、
前記制御部は、前記検出部によって検出された前記接続部に応じて前記表示画面に表示する画像の種類を変更する請求項２に記載の表示媒体システム。
【請求項１２】
前記操作部は、バッテリを備え、
前記複数の接続部は、前記表示媒体と前記バッテリとを電気的に接続する複数の受電線を備えた請求項１１に記載の表示媒体システム。
【請求項１３】
画像を表示画面に表示する表示媒体と、
前記表示媒体に着脱かつ移動可能に設けられた制御装置と、
前記表示媒体に対する前記制御装置の位置を検出する検出部と、
前記制御装置に設けられ、複数の画像を記憶する記憶部、又は複数の画像を記憶する記憶媒体が装着される装着部と、
前記制御装置に設けられ、前記検出部により検出された前記位置に応じて対応する画像を前記記憶部又は前記記憶媒体から読み出して前記表示画面に表示する制御部とを備えた表示媒体システム。
【請求項１４】
画像を表示画面に表示する表示媒体と、
前記表示媒体に操作部が着脱かつ移動可能に接続される接続部と、
前記表示媒体に対する前記操作部の位置を検出する検出部とを備えた表示媒体。
【発明の詳細な説明】
【技術分野】
【０００１】
本発明は、表示媒体システムおよび表示媒体に関する。
【背景技術】
【０００２】
近年、書籍を電子化したページ切換え機能を有する電子ブックが実用化されている。このような電子ブックとして、従来、ボタン操作を行わずにスクロール表示を可能にした端末装置が提案されている（例えば、特許文献１参照。）。
【０００３】
この端末装置は、記憶媒体が着脱自在に装着される装着部と、記憶媒体から読み出された画像を表示する表示部と、加速度センサによる位置検出センサと、位置検出センサが検出した加速度に基づいて表示部の表示画面に表示させる画像の位置を移動（スクロール）させるＣＰＵとを備える。
【０００４】
この構成によれば、端末装置を左、右、上、又は下方向へ移動させると、位置検出センサが左、右、上、又は下方向への加速度を検出し、ＣＰＵは表示画面上の画像を左、右、上、又は下方向へスクロールさせる。
【特許文献１】特開２００３−３１６３４６号公報
【発明の開示】
【発明が解決しようとする課題】
【０００５】
本発明の目的は、表示媒体のコストを低減し、表示媒体の表示内容を簡易に書き換えることができる表示媒体システムおよび表示媒体を提供することにある。
【課題を解決するための手段】
【０００６】
本発明の一態様は、上記目的を達成するため、以下の表示媒体システムおよび表示媒体を提供する。
【０００７】
［１］画像を表示画面に表示する表示媒体と、前記表示媒体に移動可能に設けられた操作部と、前記表示媒体に対する前記操作部の位置を検出する検出部と、前記検出部により検出された前記位置に応じて前記表示画面の表示内容を切り換える制御部とを備えた表示媒体システム。
【０００８】
［２］前記表示媒体は、前記操作部が着脱かつ移動可能に接続される接続部を備えた前記［１］に記載の表示媒体システム。
【０００９】
［３］前記操作部は、バッテリを備え、前記接続部は、前記表示媒体と前記バッテリとを電気的に接続する受電線を備えた前記［１］に記載の表示媒体システム。
【００１０】
［４］前記制御部は、前記操作部に設けられた前記［１］に記載の表示媒体システム。
【００１１】
［５］前記操作部は、画像を記憶する記憶部、又は画像を記憶する記憶媒体が装着される装着部を備え、前記制御部は、前記検出部により検出された前記位置に応じて対応する画像を前記記憶部又は前記記憶媒体から読み出して前記表示画面に表示する前記［１］に記載の表示媒体システム。
【００１２】
［６］前記制御部は、前記検出部により検出された前記位置と前記記憶部又は前記記憶媒体に記憶されている前記画像の数に基づいて、頁を算出し、算出した前記頁に対応する画像を前記記憶部又は前記記憶媒体から読み出して前記表示画面に表示する前記［４］に記載の表示媒体システム。
【００１３】
［７］前記操作部は、前記制御部によって算出された前記頁を表示する頁表示部を備えた前記［６］に記載の表示媒体システム。
【００１４】
［８］前記表示媒体は、前記制御部によって算出された前記頁を表示する頁表示部を備えた前記［６］に記載の表示媒体システム。
【００１５】
［９］前記操作部は、無線により外部装置から前記画像を取り込んで前記記憶部又は前記記憶媒体に記憶する前記[１]に記載の表示媒体システム。
【００１６】
［１０］前記検出部は、前記位置の他に、前記操作部の移動速度を検出し、前記制御部は、前記移動速度に応じて前記表示画面に表示する前記画像の解像度を変更する前記[１]に記載の表示媒体システム。
【００１７】
［１１］前記表示媒体は、前記操作部が着脱かつ移動可能に接続される複数の前記接続部を備え、前記検出部は、前記複数の接続部のうち前記操作部に接続された前記接続部を検出し、前記制御部は、前記検出部によって検出された前記接続部に応じて前記表示画面に表示する画像の種類を変更する前記［２］に記載の表示媒体システム。
【００１８】
［１２］前記操作部は、バッテリを備え、前記複数の接続部は、前記表示媒体と前記バッテリとを電気的に接続する複数の受電線を備えた前記［１１］に記載の表示媒体システム。
【００１９】
［１３］画像を表示画面に表示する表示媒体と、前記表示媒体に着脱かつ移動可能に設けられた制御装置と、前記表示媒体に対する前記制御装置の位置を検出する検出部と、前記制御装置に設けられ、複数の画像を記憶する記憶部、又は複数の画像を記憶する記憶媒体が装着される装着部と、前記制御装置に設けられ、前記検出部により検出された前記位置に応じて対応する画像を前記記憶部又は前記記憶媒体から読み出して前記表示画面に表示する制御部とを備えた表示媒体システム。
【００２０】
［１４］画像を表示画面に表示する表示媒体と、前記表示媒体に操作部が着脱かつ移動可能に接続される接続部と、前記表示媒体に対する前記操作部の位置を検出する検出部とを備えた表示媒体。
【発明の効果】
【００２１】
請求項１に記載された表示媒体システムによれば、表示媒体のコストを低減し、表示媒体の表示内容を簡易に書き換えることができる。
【００２２】
請求項２に記載された表示媒体システムによれば、操作部を着脱できない構成と比較して表示媒体のコストをより低減することができる。
【００２３】
請求項３に記載された表示媒体システムによれば、別途電源を用意する必要がなくなる。
【００２４】
請求項４に記載された表示媒体システムによれば、制御部を表示媒体に設けた構成と比較して表示媒体のコストをより低減することができる。
【００２５】
請求項５に記載された表示媒体システムによれば、記憶部又は装着部を有していない構成と比較して表示媒体の表示内容を高速に書き換えることができる。
【００２６】
請求項６に記載された表示媒体システムによれば、操作部を移動させるだけの簡単な操作により、表示媒体に表示する画像の頁を切り換えることができる。
【００２７】
請求項７に記載された表示媒体システムによれば、表示媒体に表示している画像の頁が分かり易くなる。
【００２８】
請求項８に記載された表示媒体システムによれば、表示媒体に表示している画像の頁が分かり易くなる。
【００２９】
請求項９に記載された表示媒体システムによれば、表示媒体が扱い易くなる。
【００３０】
請求項１０に記載された表示媒体システムによれば、表示内容を高速に切り換えることが容易となる。
【００３１】
請求項１１に記載された表示媒体システムによれば、画像の種類毎に表示内容を切り換えることを簡易に行うことができる。
【００３２】
請求項１２に記載された表示媒体システムによれば、別途電源を用意する必要がなくなる。
【００３３】
請求項１３に記載された表示媒体システムによれば、表示媒体のコストを低減し、表示媒体の表示内容を簡易に書き換えることができる。
【００３４】
請求項１４に記載された表示媒体によれば、表示媒体のコストを低減し、表示媒体の表示内容を簡易に書き換えることができる。
【発明を実施するための最良の形態】
【００３５】
［第１の実施の形態］
図１は、本発明の第１の実施の形態に係る表示媒体システムの概略の構成を示す図である。この表示媒体システム１００は、画像を表示する表示媒体１と、表示媒体１に着脱かつスライド（移動）可能に設けられ、表示媒体１に対する位置に応じて表示媒体１の表示内容を切り換える制御装置（操作部）２と、制御装置２に画像を送信するサーバ（外部装置）３とを備えて構成されている。
【００３６】
表示媒体１は、表示画面１０ａに画像を表示する表示部１０と、表示画面１０ａ以外の表示部１０を覆う枠部１１と、枠部１１の右側の辺１１ａに沿って設けられ、制御装置２を着脱可能かつスライド可能に接続する接続部１２とを備え、例えば、薄型矩形状を有する。なお、接続部１２は、右側の辺１１ａに沿って設ける代わりに、他の辺１１ｂ〜１１ｄのいずれかに沿って設けてもよい。また、接続部１２を４つの辺１１ａ〜１１ｄのうち２つ又は３つの辺１１ａ〜１１ｄに沿って設けてもよい。
【００３７】
表示部１０は、携帯性、省電力の観点より、表示画像を無電源でも保持可能なメモリ性を有するのが好ましい。メモリ性を有する表示部１０として、例えば、コレステリック液晶、強誘電性液晶等の液晶や、帯電した着色粒子を液体中や気体中で移動または回転させて表示を切り替える電気泳動方式、磁気泳動方式、粒子回転方式、帯電トナー方式等のものを用いることができる。なお、表示部１０として、例えば、ネマティック液晶、ＥＬ（エレクトロルミネッセンス）等のメモリ性を有していないものを用いてもよい。
【００３８】
図２（ａ）は、表示媒体１の要部を示す平面図、図２（ｂ）は、図２（ａ）のＡ−Ａ断面図である。表示媒体１の枠部１１は、合成樹脂等からなるケース１１０を有し、このケース１１０内に複数の光送受信部１４１〜１４ｎが等間隔で実装された基板１３を配置している。光送受信部１４１〜１４ｎは、それぞれ１〜ｎの番号が付与され、例えば、下から上に順に配置されている。ケース１１０には、各光送受信部１４に対向する位置に開口１１０ａがそれぞれ形成されている。
【００３９】
表示媒体１の光送受信部１４は、面発光型レーザ、発光ダイオード等の発光素子と、フォトダイオード等の受光素子と、発光素子を駆動する駆動回路、受光素子の出力信号を増幅する増幅回路とを備える。
【００４０】
接続部１２は、ケース１１０の右側の辺１１ａに平行に形成された一対のスリット１２０と、基板１３上のスリット１２０に対向する位置に形成された銅等からなる一対の受電線１２１Ａ，１２１Ｂとから構成されている。一対の受電線１２１Ａ，１２１Ｂのうち、例えば、一方の受電線１２１Ａを接地線として用い、他方の受電線１２１Ｂを電力供給線として用いるが、これに限定されず、両方を電力供給線としてもよい。また、受電線の数は２本に限定されない。
【００４１】
制御装置２は、例えば、樹脂等の絶縁材料から形成された装置本体２０を有し、この装置本体２０の裏側に、表示媒体１の一対のスリット１２０に着脱かつスライド可能な接続部２１を備える。接続部２１は、中間部が細くなった樹脂等の絶縁材料から形成された一対の突出部２１０を有し、突出部２１０の先端面に露出するように一対の給電端子２１１Ａ，２１１Ｂが設けられ、一対の給電端子２１１Ａ，２１１Ｂから後述するバッテリに導線２１２が接続されている。また、制御装置２は、表示媒体１に設けられている複数の光送受信部１４のいずれかと光信号を送受信する光送受信部２２を一対の突出部２１０間に備える。
【００４２】
光送受信部２２は、表示媒体１の光送受信部１４と同様に、面発光型レーザ、発光ダイオード等の発光素子と、フォトダイオード等の受光素子と、発光素子を駆動する駆動回路、受光素子の出力信号を増幅する増幅回路とを備える。
【００４３】
（表示媒体システムの制御系）
図３は、第１の実施の形態に係る表示媒体システムの制御系を示すブロック図である。
【００４４】
（表示媒体）
表示媒体１は、表示部１０を駆動する駆動ＩＣ１５Ａ、１５Ｂと、光送受信部１４および駆動ＩＣ１５Ａ，１５Ｂを制御する制御ＩＣ１６と、受電線１２１Ａ，１２１Ｂを介して給電された電圧を昇圧して表示媒体１の各部に供給する電源部１７とを備える。電源部１７は、一対の受電線１２１Ａ，１２１Ｂに接続されている。
【００４５】
表示部１０は、例えば、表示層と、表示層の一方の面側に配置された複数の行電極と、表示層の他方の面側に配置された複数の列電極とを備え、単純マトリックス（パッシブ・マトリックス）駆動される。なお、表示部１０は、表示層を全面電極と複数の画素電極との間に配置し、互いに直交する複数のデータ線と複数の走査線との各交点に接続されたＴＦＴ等の複数のアクティブ素子により各画素をアクティブ・マトリックス駆動するように構成してもよい。
【００４６】
駆動ＩＣ１５Ａ，１５Ｂは、制御ＩＣ１６からのタイミング信号および画像信号に基づいて対応する行電極および列電極に電源部１７から供給された電圧を印加する。駆動ＩＣ１５Ａは、行電極駆動用、駆動ＩＣ１５Ｂは、列電極駆動用であり、それらの数は限定されない。
【００４７】
制御ＩＣ１６は、制御装置２の位置を検出する検出部として機能するとともに、表示媒体１の表示画面１０ａに対する表示制御を行う。すなわち、制御ＩＣ１６は、表示媒体１に設けた複数の光送受信部１４のうち、制御装置２の光送受信部２２から光信号を受信した光送受信部１４を特定することで、制御装置２の位置を検出する。そして、その検出結果として光信号を受信した光送受信部１４の番号（位置検出情報）を制御装置２に送信する。また、位置検出情報に応じて受信した画像信号とタイミング信号を駆動ＩＣ１５Ａ，１５Ｂに送信する。
【００４８】
（制御装置の制御系）
制御装置２は、サーバ３と通信する通信部２３と、サーバ３から通信部２３により受信した画像を記憶する画像メモリ（記憶部）２４と、本制御装置２の各部を制御する制御ＩＣ（制御部）２５と、制御装置２の各部に電力を供給するとともに、給電端子２１１Ａ，２１１Ｂおよび受電線１２１Ａ，１２１Ｂを介して表示媒体１に電力を供給するバッテリ２６とを備える。
【００４９】
通信部２３は、電波や可視光、赤外線等の無線を用いてもよく、有線を用いてもよい。
【００５０】
画像メモリ２４は、例えば、ＲＡＭを用いることができる。なお、画像をサーバ３から取り込む他に、制御装置２に装着部を設け、この装着部に対して抜き差し可能なフラッシュメモリ、ＣＤ−ＲＯＭ等の記録メディア（記憶媒体）から画像を取り込んでもよい。
【００５１】
制御ＩＣ２５は、表示媒体１の制御ＩＣ１６が検出した位置検出情報（光受信部１４の番号）に基づいて、ユーザが指示した頁（指示頁）ｐを以下の式から求める。
ｐ＝１＋（ｍ／ｎ）・（ｉ−１）            …（１）
ｎ：光送受信部１４の数
ｍ：画像枚数
ｉ：制御装置２の光送受信部２２からの光信号を受信した光送受信部１４の番号（ｉ＝１〜ｎ）
例えば、光送受信部１４の数をｎ＝２０個、画像枚数をｍ＝１０枚とし、１０個目（ｉ＝１０）の光送受信部１４−５が制御装置２の光送受信部２２から光信号を受信したとすると、上記式（１）から、ｐ＝１＋（１０／２０）×（１０−１）＝５．５となる。上記式（１）で求めたｐの値が整数でないときは、小数点以下を切り捨て指示頁とする。この場合は、５頁が指示頁となる。
【００５２】
（サーバ）
サーバ３は、画像を記憶するＨＤＤ等の記憶部３０と、制御装置２の通信部２３と通信する通信部３１と、記憶部３０に記憶された画像を通信部３１により制御装置２に送信する制御部３２とを備える。通信部３１は、制御装置２の通信部２３と同様に、電波や可視光、赤外線等の無線を用いてもよく、有線を用いてもよい。
【００５３】
（表示媒体システムの動作）
次に、表示媒体システム１００の動作を図４を参照して説明する。なお、表示媒体１の光送受信部１４を２０個用いたとして以下説明する。
【００５４】
図４（ａ）〜（ｃ）は、表示媒体１の表示内容が切り替わる様子を示す図である。
【００５５】
まず、ユーザは、表示媒体１に表示する画像をサーバ３に要求する。サーバ３の制御部３２は、要求された画像を記憶部３０から読み出し、通信部３１により制御装置２に送信する。
【００５６】
制御装置２の通信部２３がサーバ３から送信された画像を受信すると、制御ＩＣ２５は、受信した画像を画像メモリ２４に記憶する。画像メモリ２４には、１０枚の画像が記憶されたとする。
【００５７】
次に、ユーザは、図４（ａ）に示すように、制御装置２を表示媒体１に装着する。すなわち、制御装置２の一対の突出部２１０を表示媒体１のスリット１２０に挿入すると、ケース１１０のスリット１２０近傍の弾性力によってスリット１２０が広がる。一対の突出部２１０を更に挿入すると、給電端子２１１Ａ，２１１Ｂが受電線１２１Ａ，１２１Ｂに接触し、スリット１２０は元の形状に復帰し、制御装置２の突出部１２０がスリット１２０に係合する。バッテリ２６から電力が給電端子２１１Ａ，２１１Ｂおよび受電線１２１Ａ，１２１Ｂを介して電源部１７に供給され、電源部１７は、表示媒体１の各部に電源を供給する。
【００５８】
制御装置２の制御ＩＣ２５は、光送受信部２２から制御装置２の位置検出のための光信号を送信する。
【００５９】
表示媒体１の制御ＩＣ１６は、表示媒体１に設けた複数の光送受信部１４のうち、制御装置２の光送受信部２２から光信号を受信した光送受信部１４を特定することにより、制御装置２の位置を検出し、光信号を受信した光送受信部１４の番号を位置検出情報として制御装置２に送信する。ここでは、制御装置２の光送受信部２２から光信号を１番目の光送受信部１４−１が受信したので、その番号「１」を位置検出情報として制御装置２に送信する。
【００６０】
制御装置２の制御ＩＣ２５は、表示媒体１の制御ＩＣ１６からの位置検出情報に基づいて、指示頁を演算する。この場合、上記式（１）から、ｐ＝１＋（１０／２０）×（１−１）＝１となる。制御ＩＣ２５は、画像メモリ２４から１頁目の画像を読み出し、その画像信号を光信号として光送受信部２２により表示媒体１に送信する。
【００６１】
表示媒体１の１番目の光送受信部１４−１は、制御装置２の光送受信部２２から光信号を受信する。制御ＩＣ１６は、１番目の光送受信部１４−１が受信した光信号を画像信号に変換し、画像信号とともにタイミング信号を駆動ＩＣ１５Ａ，１５Ｂに送信する。
【００６２】
駆動ＩＣ１５Ａは、制御ＩＣ１６から送信された画像信号およびタイミング信号に基づいて行電極を駆動し、駆動ＩＣ１５Ｂは、制御ＩＣ１６から送信された画像信号およびタイミング信号に基づいて列電極を駆動する。表示部１０の表示画面１０ａには、例えば、１頁目を示す頁番号を含む画像が表示される。
【００６３】
ここで、ユーザが制御装置２を上方へスライドしての右側の辺１１ａの中間付近まで移動させたとする。
【００６４】
前述したのと同様に、制御装置２の制御ＩＣ２５は、光送受信部２２から制御装置２の位置検出のための光信号を送信する。
【００６５】
表示媒体１の１０番目の光送受信部１４−１０が、制御装置２の光送受信部２２から光信号を受信したとする。表示媒体１の制御ＩＣ１６は、光信号を受信した光送受信部１４−１０の番号「１０」を位置検出情報として制御装置２に送信する。
【００６６】
制御装置２の制御ＩＣ２５は、表示媒体１の制御ＩＣ１６からの位置検出情報に基づいて、指示頁を演算する。この場合、上記式（１）から、ｐ＝１＋（１０／２０）×（１０−１）＝５．５となるので、小数点以下を切り捨てて指示頁を５頁とする。制御ＩＣ２５は、画像メモリ２４から５頁目の画像を読み出し、その画像を光信号として光送受信部２２により表示媒体１に送信する。
【００６７】
表示媒体１の１０番目の光送受信部１４−１０は、制御装置２の光送受信部２２から光信号を受信する。制御ＩＣ１６は、１０番目の光送受信部１４−１０が受信した光信号を画像信号に変換し、画像信号とともにタイミング信号を駆動ＩＣ１５Ａ，１５Ｂに送信する。
【００６８】
駆動ＩＣ１５Ａ，１５Ｂは、制御ＩＣ１６から送信された画像信号およびタイミング信号に基づいて行電極および列電極を駆動する。表示画面１０ａには、５頁目を示す頁番号を含む画像が表示される。
【００６９】
ここで、ユーザが制御装置２を最上端までスライドしたとする。
【００７０】
前述したのと同様に、制御装置２の制御ＩＣ２５は、光送受信部２２から制御装置２の位置検出のための光信号を送信する。
【００７１】
表示媒体１の２０番目の光送受信部１４−２０が、制御装置２の光送受信部２２から光信号を受信する。表示媒体１の制御ＩＣ１６は、光信号を受信した光送受信部１４−２０の番号「２０」を位置検出情報として制御装置２に送信する。
【００７２】
制御装置２の制御ＩＣ２５は、表示媒体１の制御ＩＣ１６からの位置検出情報に基づいて、指示頁を演算する。この場合、上記式（１）から、ｐ＝１＋（１０／２０）×（２０−１）＝１０.５となるので、小数点以下を切り捨てて、指示頁を１０頁とする。制御ＩＣ２５は、画像メモリ２４から１０頁目の画像を読み出し、その画像を光信号として光送受信部２２により表示媒体１に送信する。
【００７３】
表示媒体１の２０番目の光送受信部１４−２０は、制御装置２の光送受信部２２から光信号を受信する。制御ＩＣ１６は、２０番目の光送受信部１４−２０が受信した光信号を画像信号に変換し、画像信号とともにタイミング信号を駆動ＩＣ１５Ａ，１５Ｂに送信する。
【００７４】
駆動ＩＣ１５Ａ，１５Ｂは、制御ＩＣ１６から送信された画像信号およびタイミング信号に基づいて行電極および列電極を駆動する。表示画面１０ａには、１０頁目を示す頁番号を含む画像が表示される。なお、本実施の形態においては、ページ順を下端１ページ、上端最終ページとしたが、その方向についてはいずれの方向、すなわち下端最終ページ、上端１ページとしてもかまわない。
【００７５】
［第２の実施の形態］
図５は、本発明の第２の実施の形態に係る表示媒体システムの概略の構成を示す図である。第１の実施の形態では、表示媒体１に１つの接続部１２しか設けなかったが、本実施の形態は、表示媒体１の各辺１１ａ〜１１ｄに沿ってそれぞれ接続部１２Ａ〜１２Ｄを設けたものであり、他は第１の実施の形態と同様に構成されている。
【００７６】
図６は、表示媒体１の接続部１２Ａ〜１２Ｄの詳細を示し、（ａ）は、表示媒体１の右下付近の平面図、（ｂ）は、表示媒体１の左下付近の平面図、（ｃ）は、表示媒体１の左上付近の平面図、（ｄ）は、表示媒体１の右上付近の平面図である。
【００７７】
接続部１２Ａ〜１２Ｄは、ケース１１０の各辺１１ａ〜１１ｄにそれぞれ平行に形成された一対のスリット１２０と、基板１３上のスリット１２０に対向する位置に形成された銅等からなる一対の受電線１２１Ａ，１２１Ｂとから構成されている。なお、受電線１２１Ａは互いに接続され、表示画面１０ａ全体を囲っている。
【００７８】
（表示媒体システムの制御系）
図７は、第２の実施の形態に係る表示媒体システムの制御系を示すブロック図である。第１の実施の形態とは、表示媒体１のみが異なり、制御装置２およびサーバ３は、第１の実施の形態と同様に構成されている。
【００７９】
表示媒体１は、第１の実施の形態と同様に、駆動ＩＣ１５、制御ＩＣ１６、電源部１７を備えるが、右側の辺１１ａ側には、端から順に光送受信部１４−ａ１，１４−ａ２，・・・１４−ａｎが配置され、下側の辺１１ｂ側には、端から順に光送受信部１４−ｂ１，１４−ｂ２，・・・１４−ｂｎが配置され、左側の辺１１ｃ側には、端から順に光送受信部１４−ｃ１，１４−ｃ２，・・・１４−ｃｎが配置され、上側の辺１１ｄ側には、端から順に光送受信部１４−ｄ１，１４−ｄ２，・・・１４−ｄｎが配置され、それぞれ、ａ１，ａ２，・・・ａｎ、ｂ１，ｂ２，・・・ｂｎ、ｃ１，ｃ２，・・・ｃｎ、ｄ１，ｄ２，・・・ｄｎの番号が付与されている。
【００８０】
制御ＩＣ１６は、表示媒体１の各辺１１ａ〜１１ｄに設けた複数の光送受信部１４のうち、制御装置２の光送受信部２２から光信号を受信した光送受信部１４を特定し、その光送受信部１４の番号を位置検出情報として制御装置２に送信する。
【００８１】
制御装置２の制御ＩＣ２５は、位置検出情報に対応した画像を画像メモリ２４から読み出して光信号として光送受信部２２から表示媒体１に送信する。このとき、制御ＩＣ２５は、位置検出情報がａ１〜ａｎか、ｂ１〜ｂｎか、ｃ１〜ｃｎか、ｄ１〜ｄｎかに応じて異なる種類の画像を表示媒体１に送る。
【００８２】
また、表示媒体１の接続部１２Ａ〜１２Ｄに対する制御装置２の位置に応じた頁の画像が表示画面１０ａに表示される。
【００８３】
［第３の実施の形態］
図８は、本発明の第３の実施の形態に係る表示媒体システムの概略の構成を示す図である。第２の実施の形態では、表示媒体１の各辺１１ａ〜１１ｄに沿ってそれぞれ接続部１２Ａ〜１２Ｄと光送受信部１４を設けたが、本実施の形態は、右側の辺１１ａに２つの接続部１２Ａ，１２Ｂとを設けるとともに、接続部１２Ａに対応して光送受信部１４−ａ１〜１４−ａｎを配置し、接続部１２Ｂに対応して光送受信部１４−ｂ１〜１４−ｂｎを配置し、左側の辺１１ｃに２つの接続部１２Ｃ，１２Ｄを設けるとともに、接続部１２Ｃに対応して光送受信部１４−ｃ１〜１４−ｃｎを配置し、接続部１２Ｄに対応して光送受信部１４−ｄ１〜１４−ｄｎを配置したものであり、他は第２の実施の形態と同様に構成されている。
【００８４】
この第３の実施の形態においても、第２の実施の形態と同様に、表示したい画像の種類に応じた接続部１２Ａ〜１２Ｄに制御装置２を接続することで、所望の種類の画像が表示画面１０ａに表示される。また、表示媒体１の接続部１２Ａ〜１２Ｄに対する制御装置２の位置に応じた頁の画像が表示画面１０ａに表示される。
【００８５】
［第４の実施の形態］
図９は、本発明の第４の実施の形態に係る表示媒体システムの概略の構成を示す図である。本実施の形態は、第３の実施の形態において、各接続部１２Ａ〜１２Ｄの近傍に表示する画像の種類を示す画像種別マーク４Ａ〜４Ｄを付加したものであり、他は第３の実施の形態と同様に構成されている。例えば、制御装置２が右上の接続部１２Ａに接続されている場合は、写真の画像が表示画面１０ａに表示され、制御装置２が右下の接続部１２Ｂに接続されている場合は、ＮＥＷＳを含む画像が表示画面１０ａに表示され、制御装置２が左上の接続部１２Ｃに接続されている場合は、メールの画像が表示画面１０ａに表示され、制御装置２が左下の接続部１２Ｄに接続されている場合は、ドキュメントの画像が表示画面１０ａに表示される。なお、画像の種類は、これらに限定されない。
【００８６】
［第５の実施の形態］
図１０は、本発明の第５の実施の形態に係る表示媒体システムの概略の構成を示し、（ａ）は低解像度の画像を表示する場合を示し、(ｂ)は、通常の解像度の画像を表示する場合を示す図である。本実施の形態は、第１の実施の形態において、制御装置２の移動速度に応じて表示する画像を解像度を変えるようにしたものであり、他は第１の実施の形態と同様に構成されている。
【００８７】
表示媒体１の制御ＩＣ１６は、制御装置２の光送受信部２２からの光信号を受信した光送受信部１４の出力信号に基づいて制御装置２の移動速度を検出し、その速度検出結果を制御装置２に送信する。移動速度の検出は、隣合う光送受信部１４の受光タイミングの時間差に基づいて求めることができる。
【００８８】
制御装置２の制御ＩＣ２５は、表示媒体１の制御ＩＣ１６からの速度検出結果に基づいて、制御装置１の移動速度が所定の値よりも速いときは、画像の解像度を低下させ、その低解像度の画像を表示媒体１に送る。表示画面１０ａには、図１０（ａ）に示すように、低解像度の画像が表示される。
【００８９】
一方、制御装置１の移動速度が所定の値よりも遅いときは、画像の解像度を低下させずにそのまま画像を表示媒体１に送る。表示画面１０ａには、図１０（ｂ）に示すように、画像の解像度が低下していない通常の画像が表示される。
【００９０】
［第６の実施の形態］
図１１は、本発明の第６の実施の形態に係る表示媒体システムの概略の構成を示す図である。本実施の形態は、第１の実施の形態において、制御装置２に頁を表示する機能を持たせたものであり、他は第１の実施の形態と同様に構成されている。
【００９１】
制御装置２は、装置本体２０の表面に頁を表示する頁表示部２７を設けたものであり、他は第１の実施の形態と同様に構成されている。頁表示部２７は、セブンセグメントからなるが、液晶パネル等の他のディスプレイを用いてもよい。
【００９２】
図１２は、第６の実施の形態に係る表示媒体システムの制御系を示すブロック図である。表示媒体１およびサーバ３は、第１の実施の形態と同様に構成されている。制御装置２は、頁表示部２７が制御ＩＣ２５に接続されており、制御ＩＣ２５は、第１の実施の形態と同様に演算した指示頁を頁表示部２７に表示する。
【００９３】
［第７の実施の形態］
図１３は、本発明の第７の実施の形態に係る表示媒体システムの概略の構成を示す図である。本実施の形態は、第１の実施の形態において、表示媒体１に頁を表示する機能を持たせたものであり、他は第１の実施の形態と同様に構成されている。
【００９４】
表示媒体１は、枠部１１の下側に頁を表示する頁表示部１８を設けたものであり、他は第１の実施の形態と同様に構成されている。頁表示部１８は、セブンセグメントからなるが、液晶パネル等の他のディスプレイを用いてもよい。
【００９５】
図１４は、第７の実施の形態に係る表示媒体システムの制御系を示すブロック図である。制御装置２およびサーバ３は、第１の実施の形態と同様に構成されている。表示媒体１の制御ＩＣ１６は、制御ＩＣ２５によって演算された指示頁の情報を光送受信部２２，１４を介して受信し、頁表示部１８に表示する。なお、表示画面１０ａに表示した画像に頁を重畳させてもよい。このとき、頁を表示する位置の背景の濃度に応じて頁を白黒反転させて重畳させてもよい。
【００９６】
［他の実施の形態］
なお、本発明は、上記各実施の形態に限定されず、本発明の趣旨を逸脱しない範囲内で種々な変形が可能である。
【００９７】
上記各実施の形態では、表示媒体の光送受信部を画像の受信用と制御装置の位置検出用とで共用したが、別個に設けてもよい。また、制御装置の位置検出に光を用いたが、静電容量の変化による方法、電気的導通による方式、磁界の変化による方式等を用いることができる。
【００９８】
また、本発明の趣旨を逸脱しない範囲内で各実施の形態の構成要素を任意に組み合わせることは可能である。
【図面の簡単な説明】
【００９９】
【図１】図１は、本発明の第１の実施の形態に係る表示媒体システムの概略の構成を示す図である。
【図２】図２（ａ）は、表示媒体の要部を示す平面図、図２（ｂ）は、図２（ａ）のＡ−Ａ断面図である。
【図３】図３は、第１の実施の形態に係る表示媒体システムの制御系を示すブロック図である。
【図４】図４（ａ）〜（ｃ）は、表示媒体の表示内容が切り替わる様子を示す図である。
【図５】図５は、本発明の第２の実施の形態に係る表示媒体システムの概略の構成を示す図である。
【図６】図６は、表示媒体の接続部の詳細を示し、（ａ）は、表示媒体の右下付近の平面図、（ｂ）は、表示媒体の左下付近の平面図、（ｃ）は、表示媒体の左上付近の平面図、（ｄ）は、表示媒体の右上付近の平面図である。
【図７】図７は、第２の実施の形態に係る表示媒体システムの制御系を示すブロック図である。
【図８】図８は、本発明の第３の実施の形態に係る表示媒体システムの概略の構成を示す図である。
【図９】図９は、本発明の第４の実施の形態に係る表示媒体システムの概略の構成を示す図である。
【図１０】図１０は、本発明の第５の実施の形態に係る表示媒体システムの概略の構成を示し、（ａ）は低解像度の画像を表示する場合を示し、(ｂ)は、通常の解像度の画像を表示する場合を示す図である。
【図１１】図１１は、本発明の第６の実施の形態に係る表示媒体システムの概略の構成を示す図である。
【図１２】図１２は、第６の実施の形態に係る表示媒体システムの制御系を示すブロック図である。
【図１３】図１３は、本発明の第７の実施の形態に係る表示媒体システムの概略の構成を示す図である。
【図１４】図１４は、第７の実施の形態に係る表示媒体システムの制御系を示すブロック図である。
【符号の説明】
【０１００】
１  表示媒体
２  制御装置
３  サーバ
４Ａ〜４Ｄ  画像種別マーク
１０ａ  表示画面
１０  表示部
１１  枠部
１１ａ〜１１ｄ  辺
１２Ａ〜１２Ｄ  接続部
１３  基板
１４，１４１〜１４ｎ，１４−ａ１〜１４−ａｎ，１４−ｂ１〜１４−ｂｎ，１４−ｃ１〜１４−ｃｎ，１４−ｄ１〜１４−ｄｎ  光送受信部
光送受信部
１５  駆動ＩＣ
１６  制御ＩＣ
１７  電源部
１８  頁表示部
２０  装置本体
２１  接続部
２２  光送受信部
２３  通信部
２４  画像メモリ
２５  制御ＩＣ
２６  バッテリ
２７  頁表示部
３０  記憶部
３１  通信部
３２  制御部
１００  表示媒体システム
１１０  ケース
１２０  スリット
１２１Ａ，１２１Ｂ  受電線
２１０  突出部
２１１Ａ，２１１Ｂ  給電端子
２１２  導線
【図１】
2008292838.tif 000003
【図２】
2008292838.tif 000004
【図３】
2008292838.tif 000005
【図４】
2008292838.tif 000006
【図５】
2008292838.tif 000007
【図６】
2008292838.tif 000008
【図７】
2008292838.tif 000009
【図８】
2008292838.tif 000010
【図９】
2008292838.tif 000011
【図１０】
2008292838.tif 000012
【図１１】
2008292838.tif 000013
【図１２】
2008292838.tif 000014
【図１３】
2008292838.tif 000015
【図１４】
2008292838.tif 000016